(57)【要約】    【課題】それぞれクロストークを減少させる改良性能を備えたプラグ（１００）、コンセント（２５０）及び接続ブロック（３００）を含んだコネクターを提供すること。    【解決手段】プラグ（１００）は、隣接コンタクト間の隣接領域を減少させたコンタクトと、ワイヤーを互い違いに配置させるロードバーとを含んでいる。プラグと接続するコンセント（２５０）はコンタクトキャリヤーに提供されたコンタクトを含んでおり、隣接コンタクト間の隣接領域を減少させている。接続ブロック（３００）は複数のコンタクトペアを含んでおり、ペアのコンタクト間の距離はペアセット間の距離よりも短い。接続ブロックは改良チップを含んでおり、接続ブロックにカップリングされたワイヤーのアンツイスト処理量を減少させている。  【選択図】  図２６
2007134350.tif 000002
【特許請求の範囲】
【請求項１】
通信用コンセントであって、 ハウジングと、 該ハウジングを越えて延び、該ハウジングの縁部から第１距離に提供された第１列にアレンジされている第１コンタクトと、 該ハウジングを越えて延び、該ハウジングの前記縁部から第２距離に提供された第２列にアレンジされている第２コンタクトと、 該ハウジングを越えて延び、該ハウジングの前記縁部から第３距離に提供されている第３コンタクトと、を含んで成り、該第３距離は前記第１距離よりも長く、前記第２距離よりも短いことを特徴とするコンセント。
【請求項２】
第３コンタクトは複数の第３コンタクトを含んで成ることを特徴とする請求項１記載のコンセント。
【請求項３】
第１コンタクトは４体のコンタクトを含んで成り、 第２コンタクトは２体のコンタクトを含んで成り、 第３コンタクトは２体のコンタクトを含んで成る、ことを特徴とする請求項２記載のコンセント。
【請求項４】
第１コンタクトと、第２コンタクトと、第３コンタクトとは、第１コンタクト‐第３コンタクト‐第１コンタクト‐第２コンタクト‐第１コンタクト‐第２コンタクト‐第１コンタクト‐第３コンタクトの順序でアレンジされていることを特徴とする請求項３記載のコンセント。
【請求項５】
第３コンタクトは第１第３コンタクトと第２第３コンタクトとを含んで成り、該第１第３コンタクトは該第２第３コンタクトとは異なる形状を有していることを特徴とする請求項３記載のコンセント。
【請求項６】
通信用接続ブロックであって、 ベースと、 該ベースから延び出ており、第１幅と先端部とを有した第１歯部と、 該ベースから延び出ており、該第１幅よりも太い第２幅を有した第２歯部と、 前記第１歯部の各側に提供されたコンタクトペアと、を含んで成り、 前記第１歯部は外壁ペアと内壁ペアとを有しており、該外壁ペアのそれぞれは前記先端部方向にテーパされており、該内壁ペアのそれぞれは該先端部方向にテーパされており、該先端部にチップを定義していることを特徴とする接続ブロック。
【請求項７】
通信用プラグであって、 第１平面に提供された第１ワイヤー受領溝部と第２ワイヤー受領溝部とを含んでおり、該第１ワイヤー受領溝部は第１チップ‐リングペアの第１コンダクターを受領し、該第２ワイヤー受領溝部は該第１チップ‐リングペアの第２コンダクターを受領し、 前記第１平面とは異なり、該第１平面に略平行である第２平面に提供された第３ワイヤー受領溝部と第４ワイヤー受領溝部とをさらに含んでおり、該第３ワイヤー受領溝部と該第４ワイヤー受領溝部は前記第１ワイヤー受領溝部と前記第２ワイヤー受領溝部とを跨いで提供されており、前記第３ワイヤー受領溝部は第２チップ‐リングペアの第１コンダクターを受領し、前記第４ワイヤー受領溝部は該第２チップ‐リングペアの第２コンダクターを受領する、ことを特徴とするプラグ。
【請求項８】
第１平面に提供された第５ワイヤー受領溝部と第６ワイヤー受領溝部とをさらに含んでおり、該第５ワイヤー受領溝部は第３チップ‐リングペアの第１コンダクターを受領し、前記第６ワイヤー受領溝部は該第３チップ‐リングペアの第２コンダクターを受領することを特徴とする請求項７記載のプラグ。
【請求項９】
第１平面に提供された第７ワイヤー受領溝部と第８ワイヤー受領溝部とをさらに含んでおり、該第７ワイヤー受領溝部は第４チップ‐リングペアの第１コンダクターを受領し、前記第８ワイヤー受領溝部は該第４チップ‐リングペアの第２コンダクターを受領することを特徴とする請求項８記載のプラグ。
【発明の詳細な説明】
【技術分野】
【０００１】
本願発明は改良コネクターに関し、特には、改良型プラグ、コンセント(outlet)及び接続ブロック(connecting block)を含んだコネクターに関する。
【背景技術】
【０００２】
テレコミュニケーションシステムの改良によって、送信線による益々高い周波数を利用した音声信号及び/又はデータ信号の伝達能力が提供されている。ツィスト処理(twist)されたペアのケーブル部材の多重性能レベル(multiple performance levels)を規定する複数の産業基準が設定されている。商業ベースのテレコミュニケーション機器及びそれらの設置のための国際ベンチマーク(benchmark)であると一般的に受け容れられている基準はＡＮＳＩ/ＴＩＡ/ＥＩＡ‐５６８‐Ａ（/５６８）商業ビルディングテレコミュニケーションケーブルスタンダード(Commercial Building Telecommunications Cabling Standard)と１５０/ＩＥＣ１１８０１（/１１８０１）カスタマーサイド包括ケーブル仕様(generic cabling for customer premise)である。例えば、カテゴリー３、４及び５のケーブルと接続ハードは/５６８基準と/１１８０１基準との両方、並びにそれぞれの国内仕様あるいは領域仕様で規定されている。これら仕様において、カテゴリー３部材の送信基準は１６ＭＨｚまでと定められている。カテゴリー４の部材は２０ＭＨｚまでである。一方、カテゴリー５の部材は１００ＭＨｚまでと規定されている。新基準が継続的に開発されており、将来の基準は少なくとも６００ＭＨｚの送信基準を必要とするであろう。
【０００３】
前述の送信基準はニアエンドクロストーク(near-end crosstalk)（ＮＥＸＴ）
をも規定する。テレコミュニケーションコネクターはしばしば、典型的にはチップ‐リングコネクター(tip and ring connector)で成るペアのセットで提供される。テレコミュニケーションコネクターのサイズが小さくなるに連れ、隣接ペア間の距離は縮まり、隣接ペア間でクロストーク（漏話）現象が発生する。このニアエンドクロストーク基準を満たすため、当分野では多彩な技術が利用されている。
現存するテレコミュニケーション製品には、プラグ、コンセント及び接続ブロックが含まれる。これら装置のそれぞれは送信量が増加するに連れてクロストークの影響を受ける可能性が高まる。このクロストークの可能性を減じるため、いくつかの異なる技術を利用してモジュラープラグが開発された。ハッベル、ＡＴ＆Ｔ、トーマス＆ベッツ等の従来のプラグは接触オーバラップ部分を減少させるために正方形ワイヤーコンタクト(square wire contact)を利用している。
【０００４】
アンプ・アンド・ＲＪエンタープライス等の別の従来プラグはインラインロードバー(in line load bar)を利用している。スチュワート・アンド・センチネル等の他の従来プラグはスタガー型非共面方式(staggered，non-coplanar scheme)のロードバー(loadbar)を利用する。
【０００５】
コンセント(outlet)もまた送信量の増加に対処してクロストークを減少させるようにデザインされてきた。クロストークを減少させるため、モジュラーコンセントは、通常の前方からではなく背後からプラグ接続領域に２本の弾性導電ピンを差込むようにした弾性導電ピンを利用する。スチュアート等の従来装置は背後からプラグ接続領域に入る導電ピン３と６を有している。
【０００６】
接続ブロックもクロストークを減少させるようにデザインされている。現在の１１０タイプの接続システムは、ワイヤーブロック(wiring block)、コネクターブロック(connecting block)及びパッチコード(patch cord)あるいはジャンパー(jumper)を使用して非シールドツイストペア（ＵＴＰ:unshielded twisted pair）でのデジタルデータ送信並びにアナログ/デジタル音声をサポートするようにデザインされている。このシステムはエンドユーザーや装置に接続された回路の移動と再アレンジとを提供する。これら１１０タイプのブロックはパンチダウン絶縁体剥取接触（ＩＤＣ:punch down insulation displacement contact）を使用して密度を最大限とし、利用を容易化している。従来技術装置の限定要因は、ツイストペアワイヤリング(twist pair wiring)をレース処理(lace)及びパンチダウン処理(punch down)するときに困難が発生することである。ＩＤＣペア間の１１０タイプのブロックのチップは典型的には丸加工(blunt)されており、ブロックのレース処理に先立ってワイヤーのアンツイスト処理(untwist)を必要とする。そのため、ペアの過剰なアンツイストと電気的性能の劣化が発生する。クロストーク現象を低減させるため、従来の接続ブロックは、米国特許第５１６０２７３号と第５３２８３８０号で開示されたもののごとき隣接ペア間での導電性シールド（プレート）を利用することで改良されてきた。
【０００７】
クロストークを減少させ、性能を向上させるようにデザインされたプラグ、コンセント及び接続ブロックは存在するものの、増加する送信量に対処するにはさらに改良されたプラグ、コンセント及び接続ブロックが必要である。
【発明の開示】
【発明が解決しようとする課題】
【０００８】
従来技術の前述及び他の欠点及び弱点は本願発明の改良コネクターによって克服あるいは軽減される。このコネクターはクロストークを減少させることでそれぞれ向上した性能を発揮するプラグ、コンセント及び接続ブロックを含んでいる。
【課題を解決するための手段】
【０００９】
このプラグは、コンタクト(contact)間の隣接領域を減少させているコンタクトと、それらコンタクトに接続されているワイヤーを互い違いに配線(stagger)しているロードバーとを含んでいる。このプラグと接続されるコンセントはコンタクトキャリヤー内に配置されたコンタクトを含んでおり、コンタクト間の隣接領域を減少させている。接続ブロックはコンタクトペアを含んでおり、ペアのコンタクト間の距離はペアセット間の距離よりも短い。この接続ブロックも接続ブロックにカップリングされたワイヤーのアンツイスト処理量を減少させる改良チップを含んでいる。
【００１０】
本願発明のそれら及び他の特徴は次の詳細な説明と図面とから当業者には容易に理解されよう。
【発明を実施するための最良の形態】
【００１１】
図１は本願発明の１実施例による改良プラグ１００の分解図である。プラグ１００はＲＪ‐４５コンセント(outlet)と接続されるようにデザインされており、上部ハウジング１０２と下部ハウジング１０４とを含んでいる。これら上下ハウジングは好適には弾性プラスチック材料で提供されるが、従来技術に従ってさらにシールド処理を施すこともできる。コンタクト１１０は上部ハウジング１０２内に搭載され、コンタクト１０８は下部ハウジング１０４内に搭載される。ロードバー１０６はワイヤーを受領し、それらワイヤーを適正に配置させてコンタクト１０８と１１０とに導く。
【００１２】
下部ハウジング１０４は平坦面１１２と２体の側壁１１４とを含んでいる。これら側壁１１４を越えて２体のラッチ１１６が延び出ている。上部ハウジング１０２はそれらラッチ１１６を受領する開口部１２０を備えた側壁１１８を含んでいる。上部ハウジング１０２は絶縁状態に提供された一連のスリット１７０を含んでいる。これらスリット１７０はコンタクト１０８と１１０の先端部１３０を受領する。側壁１１４もネック１２４を備えた円形開口部１２２を含んでいる。
【００１３】
このネック１２４は円形開口部１２２の直径よりも小さな幅を有している。この円形開口部１２２は上部ハウジング１０２上に形成されたヒンジピン１２６を受領する。このヒンジピン１２６は円形面と平坦面とを有した柱体の一部である。
このヒンジピン１２６は１方向に最小幅部分を有しており、ネック１２４を通過することができる。ヒンジピン１２６は上部ハウジング１０２が開口状態にあるときのみネック１２４を通過することができる。下部ハウジング１０４に対して上部ハウジング１０２を回動させると、ヒンジピン１２６の最小幅部分はネック１２４との整合状態を外れ、円形開口部１２２内に固定される。
【００１４】
コンタクト１０８と１１０とはそれぞれ絶縁体剥取コンタクト（ＩＤＣ）端部１２８と先端部１３０とを含んでいる。このＩＤＣ端部はベース１３２と、そのベースから突き出ているＩＤＣアーム１３４を含んでいる。コンタクト１０８に関しては、ＩＤＣ端部１２８から垂直方向にレッグ１３６が延び出ている。このレッグは約９０°曲げられ、レッグ１３８を定義する。レッグ１３８は約９０°曲げられてレッグ１４０を提供する。このレッグ１４０はレッグ１３６と平行である。
【００１５】
同様に、コンタクト１１０はベース１３２から延び出たＩＤＣアーム１３４を備えたＩＤＣ端部１２８を含んでいる。レッグ１４０はＩＤＣ端部１２８から垂直に延び出ており、約９０°曲げられてレッグ１４２を定義する。レッグ１４２は約９０°曲げられてレッグ１４４を定義する。コンタクト１１０はコンタクト１０８とはレッグの曲げ方向が異なっている。図１Ａに示すように、ＩＤＣアーム１３４が同一基準軸方向に延びているとするなら、コンタクト１０８は基準軸に対して反時計回りに曲げられ、コンタクト１１０は時計回りに曲げられている。
【００１６】
下部ハウジング１０４はコンタクト１０８を受領するための複数の溝部１４８を有したコンタクトホルダー１４６を含んでいる。コンタクト１０８は線状に溝部１４８内に設置される。この際にコンタクト１０８は曲げられてレッグ１３６、１３８及び１４０を形成する。一連の柱体１５０は各溝部１４８の開口部方向に提供されている。柱体１５０はコンタクトの曲げ加工時とプラグ１００の使用時にコンタクト１０８を支持する。リップ１４９はコンタクトホルダー１４６の上面に提供されており、下部ショルダー１６４に接して下部ハウジング１０４に対するロードバー１０６のポジショニングを助ける。
【００１７】
ロードバー１０６は上面１５４と下面１５６を有した略方形ブロック１５２で提供されている。円形溝１５９は上面１５４内に提供され、円形溝１５８は下面１５６内に提供されている。下面１５６の溝１５８は等間隔に提供され、上面１５６の等間隔の溝１５９とはずれた位置に提供されている。ブロック１５２はロードバー１０６に沿って上ショルダー１６２と下ショルダー１６４を提供するようにサイズが減少された（例えば低くされた）部分を有している。下ショルダー１６４はリップ１４９に接し、ロードバー１０６を下部ハウジング１０４内に設置させる。側壁１１４も溝部１４８と下部溝１５８とを整合させており、溝１５８内に提供されたワイヤーをコンタクト１０８のＩＤＣ端部１２８と整合させる。ロードバー１０６は上部ハウジング１０２に形成された凹部１６８（図３）に受領される延長部１６６を含んでいる。プラグ１００はロードバー１０６を使用してワイヤーの変形を最小限度に押さえている。ロードバー１０６内に収容することでワイヤーの曲がりは押さえられ、同時にワイヤーはロードバー内を滑らされてプラグ領域内に押し込まれる。
【００１８】
図３はプラグ１００の分解斜視図であり、上部ハウジング１０２の内部を示している。上部ハウジング１０２は突出体１７４を含んでいる。この突出体１７４は収容されるケーブルのジャケットを下部ハウジング１０４に押し付けてケーブルにかかる圧力を解放させる。上部ハウジング１０２はコンタクト１１０を受領するため、間隔を開けて提供された複数の溝部１７８を有したコンタクトホルダー１７６を含んでいる。複数の開口部１８０が上部ハウジング１０２に提供されており、コンタクト１０８をスリット１７０に押し入れる。複数の延長体１８２がコンタクトホルダー１７６から延び出ており、下部ハウジング１０４の凹部１７２に受領される。延長体１８２は凹部１７２に充分に押し込まれ、埃等がプラグ１００の内部に侵入するのを防止するが、上部ハウジング１０２と下部ハウジング１０４の相対的な回動を妨害しない程度の深さに入れられている。上部ハウジング１０２はロードバー１０６上で延長体１６６を受領する凹部１６８を含んでおり、ロードバー１０６を上部ハウジング１０２に対して適正に配置させる。
ロードバー１０６を設置すると、ロードバー１０６の溝１５９はコンタクト１１０の溝部１７８及びＩＤＣ端部１２８と整合する。
【００１９】
図４は組立てられた状態のプラグ１００の斜視図である。プラグ１００を組み立てるには、ワイヤーを溝１５８と１５９内に通し、ロードバー１０６を上部ハウジング１０２あるいは下部ハウジング１０４のいずれか内に配置する。ヒンジピン１２６を円形開口部１２２内に差し込み、上部ハウジング１０２と下部ハウジング１０４とを相対的に回動させる。ロードバー１０６内の溝１５８を下部ハウジング１０４内の溝部１４８と整合させ、溝１５９を上部ハウジング１０２の溝部１７８と整合させる。上部ハウジング１０２を下部ハウジング方向に回動すると、コンタクト１０８と１１０のＩＤＣ端部１２８は、各ワイヤーの絶縁体を押し破って内部のワイヤーと接触し、ワイヤーとコンタクト１０８及び１１０との電気接触状態を確立させる。完全に回動すると、ラッチ１１６は開口部１２０と係合し、プラグは完成する。ワイヤーをロードバー１０６内に収容させることで最終的組み立てがさらに容易となる。図４に示すようにように、延長体１８２は凹部１７２内に提供され、埃等がプラグ１００内に侵入するのを防止する。
【００２０】
コンタクト１０８と１１０とは隣接するコンタクト間の隣接領域を減少させるようにデザインされている。標準ＲＪ‐４５コンセントと接続するためには、コンタクト１０８と１１０の先端部は互いにスリット１７０内で隣接し、レッグ１４４と１４０は互いに隣接することになろう。コンタクト１０８と１１０はスリット１７０を抜けると互いから離れる。従って、レッグ１４２と１３８との隣接領域は最小限度となり、レッグ１３６と１４０との間には隣接領域はなくなる。
【００２１】
隣接コンタクト間の隣接領域を減少させることでクロストークが減少し、性能は向上する。さらに、ロードバー１０６は性能向上に貢献する。ロードバーはワイヤーを異なる平面（上部溝１５８と下部溝１５９）に配置させ、クロストーク現象を押さえる。加えて、ロードバーは各ペアに必要なアンツイスト量を標準化して最低限度化し、さらにクロストークを減少させる。クロストークを減少させるに加えて、本願発明のプラグはリターンロス(return loss)を改善させ、好バランスを達成させる。この改善された性能でデータは高周波での送信が可能になり、隣接ペアからのノイズを減少させる。
【００２２】
図５と図６は改良コンセント２００の９０°バージョンの分解斜視図である。
このコンセント２００はハウジング２０２と弾性プラスチック製のコンタクトキャリヤー２０４とを含んでいる。コンセント２００はシールド式コンセントとしても製造することができる。コンセント２００は９０°バージョンと呼ばれる。
なぜなら、ハウジング２０２の開口部２０１はコンタクトキャリヤー２０４の平面に垂直な平面に提供されているからであり、コンタクト２２０と２１８の端子(terminal end)が延び出る。このコンタクトキャリヤーはＬ型であり、ベース２０６と、ベース２０６に垂直な後壁２０８を含んでいる。コンタクトキャリヤー２０４は後端２１６の反対側に提供された前端２１４を有している。ベース２０６に提供されたリブ２１０はハウジング２０２の側壁に形成された溝２１２と係合し、コンタクトキャリヤー２０４をハウジング２０２に固定させる。コンセント２００は２タイプのコンタクト２１８と２２０とを含んでいる。これらは異なる形状を有しており、隣接コンタクト間の隣接領域を減少させて性能を向上させている。コンタクト２１８と２２０は金メッキあるいはパラジウム・ニッケル合金メッキされた燐ブロンズ(phosphor bronze)ワイヤーで提供されている。コンタクト２１８と２２０はコンタクトキャリヤー２０４上で交互に提供されている。
【００２３】
図７はコンセント２００の正面図である。図８は図７の８‐８線に沿ったコンセント２００の断面図である。図８は第１コンタクト２１８の詳細を図示している。第１コンタクト２１８は、回路ボードと接続する端子２２２を有している。
端子２２２からはコンタクト２１８がコンタクトキャリヤー２０４の下部に進入し、約９０°曲げられてレッグ２２４を形成している。コンタクト２１８はさらに９０°から１８０°の間で曲げられ、前端２１４近くでコンタクトキャリヤー２０４に入るレッグ２２６を定義する。先端２２８は後壁２０８内で終結し、ハウジング２０２の内部に形成されたリップ２０３の下側に位置する。コンタクト２１８の通路はコンタクトキャリヤー２０４を通じて形成された第１溝部で提供される。この通路は部分的にはベース２０６の下部付近に位置する第１部材２２３と、ベース２０６の上部付近に位置する第２部材２２５とで提供される。ギャップが第１部材と第２部材との問に設けられており、レッグ２２４を受領する。
【００２４】
図９は図７の９‐９線に沿った断面図である。コンタクト２２０はコンタクトキャリヤー２０４上でコンタクト２１８と交互に提供されている。コンタクト２２０は回路ボードに搭載できるようにコンタクトキャリヤー２０４の下部から延びる先端２３０を有している。コンタクト２２０は約９０°曲げられてレッグ２３２を定義する。レッグ２３２は約９０°曲げられてレッグ２３４を定義する。
【００２５】
レッグ２３４は約９０°曲げられてレッグ２３６を定義し、さらに９０°以下で曲げられてレッグ２３８を定義する。コンタクト２２０の先端２４０は、ハウジング２０２上で形成され、コンタクトキャリヤー２０４の前端２１４上方に位置する後向リップ２４２の下側に位置する。図９に明瞭に図示されているように、コンタクト２２０は前端２１４の反対側の後壁２０８のコンタクトキャリヤー２０４から外出する。コンタクト２２０の通路はベース２０６の下部付近に位置する第３部材２３１と、ベース２０６と後壁２０８の間の交差部に位置する第４部材とによって部分的に定義される。ギャップが第３部材２３１と第４部材２３３との間に提供され、レッグ２３２を受領する。図１０はコンセント２００の底面図である。コンセント２００はコンタクト２１８と２２０が回路ボードと接続される領域でのクロストークを、コンタクト２１８の列とコンタクト２２０の列とを標準モジュラージャック（典型的には０.１００インチ）よりも離すことで減少させる。
【００２６】
それぞれコンタクトキャリヤーの反対側からコンタクト２１８と２２０と外出することは本願発明の重要な特徴である。コンタクトキャリヤーでコンタクト２１８と２２０を交互に提供し、コンタクト２１８を一方の端部から外出させ、コンタクト２２０を他方の端部から外出させることでコンタクト２１８と２２０が隣接する部分が減少する。これでクロストークが減少し、リターンロスが改善され、バランスが良くなる。
【００２７】
図１１と図１２は改良コンセント２５０の分解斜視図である。コンセント２５０はハウジング１５２と弾性プラスチックで提供されたコンタクトキャリヤー２５２とを含んでいる。コンセント２５０をシールドタイプコンセントとすることもできる。このコンセント２５０は垂直バージョンと呼ばれる。なぜなら、ハウジング２５２の開口部２５１はコンタクトキャリヤー２５４の平面と平行な面に提供されているからであり、コンタクト２７４と２７６の端子を通過させている。コンタクトキャリヤー２５４はＬ形状であり、ベース２５６と、ベースに垂直な後壁２５８とを含んでいる。コンタクトキャリヤー２５４は後端２６２の反対側に提供された前端２６０を有しており、そこで後壁２５８はベース２５６と交わる。ベース２５６上のリブ２６４はハウジング２５２の内部の溝２６６と係合し、コンタクトキャリヤー２５４をハウジング２５２内に固定する。ハウジング２５２と後壁２５８の両方は接続ブロック３００に搭載されたコンタクトのテールを受領する凹部２７２を含んでいる。コンセント２５０は２タイプのコンタクト２７４と２７６とを含んでいる。これらは異なる形状を有しており、隣接コンタクト間の隣接領域を減少させ、性能を高めている。コンタクト２７４と２７６は金メッキあるいはパラジウム・ニッケル合金メッキ燐ブロンズワイヤーで製造されている。コンタクト２７４と２７６はコンタクトキャリヤー２５４に交互に提供されている。
【００２８】
図１３はコンセント２５０の正面図である。図１４は図１３の１４‐１４線に沿ったコンセント２５０の断面図である。図１４は第１コンタクト２７４を詳細に図示している。第１コンタクト２７４は回路ボードに接続される端子２８０を有している。端子２８０からはコンタクト２７４がコンタクトキャリヤー２５４のベース２５６に入り、約９０°曲げられてレッグ２８２を提供する。コンタクト２７４はさらに約９０°曲げられてレッグ２８４を定義する。このレッグはベース２５６の下部に対する第１高で後壁２５８に垂直な部分から外出する。コンタクト２７４は９０°以下で曲げられ、その先端２８６はハウジング２５２上で形成され、コンタクトキャリヤー２５４の前端２６０上方に位置する後向リップ２８８の下側で終結する。コンタクト２７４の通路はコンタクトキャリヤー２５４を通過して形成された第１溝部で提供される。この通路は部分的にはベース２５６と後壁２５８の間の交差部付近に位置する第１部材２９３と第２部材２９５とによって提供される。ギャップが第１部材２９３と第２部材２９５との間に提供され、レッグ２８２を受領する。
【００２９】
図１５は図１３の１５‐１５線に沿った断面図である。コンタクト２７６はコンタクトキャリヤー２５４でコンタクト２７４と交互に提供されている。コンタクト２７６は回路ボード内の搭載のために後壁２５８から延び出る端子２４４を有している。コンタクト２７６は約９０°曲げられてレッグ２４６を定義し、さらに９０°以上曲げられてレッグ２４８を定義する。レッグ２４８は第１コンタクト２７４の出口とは異なる、ベース２５６の下部に対する第２高で後壁２５８から斜めに外出する。コンタクト２７６の先端２４９は、ハウジング２５２上に形成された後向リップ２８８の下側で、コンタクトキャリヤー２５４の前端２６０の上方に位置する。コンタクト２７６の通路は部分的に、後壁２５８内に位置する第３部材２７７と第４部材２７９とによって提供される。ギャップが第３部材２７７と第４部材２７９との間に提供され、レッグ２４６を受領する。図１６はコンセント２５０の底面図である。コンセント２５０はコンタクト２７４と２７６が回路ボードと接続する領域のクロストークを、コンタクト２１８の列とコンタクト２２０の列を標準モジュラージャック（典型的には０.１００インチ）よりも離すことで減少させる。
【００３０】
異なる高さと異なる角度でコンタクトキャリヤーの後壁から外出しているコンタクト２７４と２７６は本願発明の重要な特徴である。コンタクトキャリヤーでコンタクト２７４と２７６を交互に配置し、コンタクト２７４と２７６をコンタクトキャリヤーの後壁から異なる高さと角度で外出させることで、隣接コンタクト２７４と２７６間の隣接領域が減少する。これでクロストークが減少し、リターンロスが改善され、バランスが良くなる。
【００３１】
図１７は本願発明の１実施例による接続ブロック３００の側面図である。接続ブロック３００はベース３０２から上方に延び出る端壁３０４を有した方形ベース３０２を含んでいる。このベース３０２からは第１歯体３０６と第２歯体３０８が延び出ている。ギャップ３２４が端壁３０４と第１歯体、第１歯体３０６と第２歯体３０８の間に提供されている。第１歯体３０６は絶縁体剥取コンタクト（ＩＤＣ）３１０を分離し、第２歯体３０８はＩＤＣ３１０のペアを分離する。
ＩＤＣ３１０は米国特許第５６４５４４５号に解説されているようなプレスフィット式テール３１１を有している。ワイヤーがギャップ３１４に入れられ、ＩＤＣ３１０内に押し下げられて、ＩＤＣ３１０とワイヤーとの間の電気接続が提供される。
【００３２】
本願発明の重要な特徴に従って、歯体３０８は第１歯体３０６の幅よりも太い幅を有している。従って、１つのＩＤＣペア間の距離はペア同士の距離よりも短い。このジグザグペアデザインでペア間のクロストークが減少し、性能が良くなる。本願発明の装置はペア内のＩＤＣを接近させることでさらにクロストークを減少させる。この狭い間隔はブロック内のＩＤＣを平行線ではなくて角度を与えて配置させることで達成される。ペア内のこの狭い間隔でペア同士間のスペースが広がり、クロストークがさらに減少する。本願発明のＩＤＣは従来のものより低くて狭いのでクロストークがさらに減少する。
【００３３】
端壁３０４は端壁３０４の外側に向かってテーパしている内面３１２を有している。同様に、第１歯体３０６は互い方向に向かってテーパした２面の内面３１４と、互い方向に向かってテーパした２面の外面３１６を含んでおり、第１歯体３０６の先端でチップ３１８を定義する。チップ３１８は狭く提供され、１０/１０００インチよりも狭くて、好適には５/１０００インチである。チップ３１８はツイストされた２本のワイヤーをレース処理に先立ってアンツイスト処理する必要なく分離させることができる。この改良チップ３１８も編み込まれてツイストされたペアのケーブル（それぞれのツイストペアは薄い編み込み絶縁体によって結合されている）の終結部の状態を改善している。この改良チップはブロックの素早くて容易なパンチング処理を提供する。本願発明の別の特徴はペア同士間の特徴的な間隔である。これで設置時と使用時の各ペアの容易な視覚的識別ができる。
【００３４】
図１８に示すように、端壁３０４の内面３１２と歯体３０６の内面３１４はＩＤＣ３１０の端部を受領する方形凹部３２０を有している。ＩＤＣ３１０は接続ブロック３００の長軸Ｘに対して斜めに提供されている。１実施例においては、ＩＤＣ３１０は４５°の角度で提供されている。歯体３０８の内面３２２も同様に方形凹部３２０を含んでおり、ＩＤＣ３１０の端部を受領する。図１９は接続ブロック３００の底面図であり、接続ブロック３００の長軸に対して４５°に提供されたＩＤＣ３１０を示している。図２０と図２１は接続ブロック３００の端面図である。図２２は接続ブロックの分解斜視図であり、ＩＤＣ３１０を示している。図示はされていないが、金属バリヤーをペア間に配置してさらにクロストークを減少させることもできる。
【００３５】
端壁３０４の内面３１２は２つのノッチ３２６を含んでいる。同様に、歯体３０６の内面３１４はそれぞれギャップ３２４に隣接した２つのノッチ３２６を含んでいる。歯体３０８の内面３２２はそれぞれギャップ３２４に隣接する２つのノッチ３２６を含んでいる。これらノッチ３２６はギャップ３２４内のワイヤーと接触する材料を減少させ、ノッチ３２６がない場合よりも単位面積あたりの圧力を高める。この圧力増加でワイヤーをギャップ３２４内にさらに堅固に固定する。
【００３６】
図２３と図２４は回路ボード４００に搭載された９０°コンセント２００の斜視図である。コンセント３００は回路ボード４００の反対側に搭載されている。
図２３と図２４はコンセント２００に整合されているが接続されてはいないプラグ１００をも図示している。図２５と図２６は回路ボード４００に搭載された垂直コンセント２５０の斜視図である。接続ブロック３００は回路ボード４００の反対側に搭載されている。図２５と図２６はコンセント２５０に整合されているが接続されてはいないプラグ１００を図示している。これらプラグ、コンセント及び接続ブロックは全て性能向上のためにデザインされており、共に使用されると性能向上したコネクターを提供する。これら実施例は８コンタクトバージョンのものであるが、本願発明のコンセント、プラグ及び接続ブロックの特徴はコンタクトの数によって限定されない（例えば、１０、６、４、２も可能である）。
【００３７】
コネクターは高送信条件を満たさなければならないので、しばしばクロストークに対処するために回路を必要とする。すなわち、その回路はしばしば所定の範囲のプラグ性能に“チューニング”される。従来プラグの多くは広範囲の性能を有しており、この回路とのチューニング状態を外れ、コネクターが送信条件を満たさなくなる。送信周波数が増大すると、この補整回路の補整量は増加し、プラグ性能の許容範囲変動量は低減する。従来技術のプラグの広範な送信性能に関わる原因とは次のようなものである。
【００３８】
Ａ.ペアのアンツイスト量の大きな変動。プラグは個々のペアのアンツイスト量を制御する機構を含んでいない。
【００３９】
Ｂ.ペアの互いに対する不規則な位置関係。プラグ内にワイヤーを配置する方法がなく、ペアは引張られ、曲げられ、あるいは捻られる。
【００４０】
Ｃ.従来プラグはワイヤーがロードバー内をプラグにまで押し込まれることを要求する。これでフイヤーは曲がり、これらプラグの設置をも困難にする。
【００４１】
Ｄ.ケーブルの２端部はペアの鏡像形態を有しており、同様方法では組み立てられないことは困難性を高めている。
【００４２】
図２７はさらに性能がアップした別例のプラグの分解斜視図である。プラグ５００はハウジング５０２とロードバー５０４とを含んでいる。ハウジングは既に存在するＲＪ‐４５コンセントと接続される。ロードバー５０４はワイヤーをクロストークを減少させるように受領設置する。ロードバー５０４はハウジング５０２の開口部５０３を通過して挿入される。ロードバー５０４は方形で凹部６０６を含んでおり、ハウジング５０２の内部に形成されたショルダー５０８を受領する。ロードバー５０４は、第１面にアレンジされた第１セットのワイヤー受領溝５１０と、第１面とは異なる第２面に位置する第２セットのワイヤー受領溝５１２とを含んでいる。好適実施例においては、この第１面は実質的に第２面と平行である。ワイヤー受領溝５１０はワイヤーを滑らせて入れさせるが、ワイヤーが入れられた後にはワイヤーを保持する幅で提供されている。ワイヤー受領溝５１２はテーパされた入口５１４を含んでおり、ワイヤーの設置を助けている。一連の個別スリット５１６がハウジング５００に提供されており、ワイヤー受領溝５１０と５１２に配置されたワイヤーと接触するように絶縁体剥取コンタクト用の通路を提供している。スリット５１６は分離しており、隣接する絶縁体剥取コンタクトが互いに接触しないようにしている。３体のリッジ５１８がハウジング５０２の内側に提供されている。各リッジ５１８は２つの隣接するワイヤー受領溝５１０間に提供され、ワイヤーをスリット５１７に対して適正に配置させている。図２７に示すロードバー５０４は８本のワイヤー（６本は第１面、２本は第２面）を受領するように設計されている。プラグ５００はこれ以外の数のワイヤーを受領するように改良することもできる。
【００４３】
図２８はハウジング５０２の斜視図である。リッジ５１８はロードバーに向かって傾斜しており、ロードバー５０４のワイヤー受領溝５１０と平行に延びている。ハウジング５０２の傾斜した開口部はロードバー５０４のハウジング５０２内への挿入を助けている。
【００４４】
図２９はロードバー５０４の斜視図である。各ワイヤー受領溝５１０は半円形である。隣接ワイヤー受領溝５１０はチップ‐リングコンダクターをそれぞれのペアから受領し、それらの間にワイヤーを正確に配置させるためのリップ５２０を有している。バリヤー５２２は隣接ペアのワイヤー受領溝５１０間に提供されている。バリヤー５２２は異なるペアからのチップ‐リングコンダクターを交差させないようにしており、ワイヤーの高さよりも高くなっている。バリヤー５２２は第２平面のワイヤー受領溝５１２の真上に提供されている。
【００４５】
図２９に示すように、ワイヤー受領溝５１２は従来方式で中央ペアのワイヤー受領溝５１０を跨いで提供されている。バリヤー５２２は、バリヤー５２２の上面を通って形成され、ワイヤー受領溝５１２に入るスリット５２４を含んでいる。スリット５２４は、ワイヤー受領溝５１２に配置されたワイヤーと接触させる絶縁体剥取コンタクト用の開口部を提供する。スリット５２４はロードバー５０４がハウジング内に設置されたときにハウジング５０２内のスリット５１６と整合する。
【００４６】
図３０はハウジング５０２に設置されたロードバー５０４を備えたプラグ５００の端面図である。リッジ５１８はワイヤー受領溝５１０の半円面と類似した半径を有した半円表面を含んでいる。この半円表面５２６はワイヤーをワイヤー受領溝５１０に配置させ、ワイヤーをハウジング５０２のスリット５１６と整合させる作用を提供する。第１面５２６はフイヤー受領溝５１０の一方用であり、反対側の面５２６は他方用である。リッジ５１８は実質的にワイヤー受領溝５１０と平行であり、ワイヤー受領溝５１０の全長に沿って延びる。絶縁体剥取コンタクトはスリット５１６内に提供され、ワイヤー受領溝５１０と５１２のワイヤーと係合する。ワイヤー受領溝５１２のワイヤーと係合するには長い絶縁体剥取コンタクトが必要である。
【００４７】
ロードバー５０４へのワイヤーの提供法を解説する。図３１Ａと図３１Ｂは４つのワイヤーペアを有したケーブルのそれぞれ側面図と端面図である。これら４ペアはＧｒ（グリーン）、Ｂｒ（ブラウン）、Ｂｌ（ブルー）、Ｏｒ（オレンジ）と指定されている。各ペアは２本のワイヤー（一方はチップコンダクター、他方はリングコンダクター）を含んでいる。設置前の状態では各ペアの個々のワイヤーはツイストされている（すなわち、チップ‐リングコンダクターはツイスト処理されている）。図３１Ｃは図３１Ｂのケーブルの反対側端部の端面図である。
図３１Ｂに示す端部では、ロードバー５０４は次のように設置される。まず、ケーブルジャケットが端部から約１.５インチ剥き取られる。次にＢｒとＧｒのペアが図３１Ｂのように位置交換される。そのためにはＧｒはＢｒとスプリットＢｌを越える。これでＢｒとＢｌの間が分離する。Ｂｌはスプリットペアと呼称される。なぜなら、従来方法により中間ペア上で分離されるからである。図３２に示すように、ＢｒはスプリットペアＢｌのコンダクター間に配置される。Ｂｌのチップ‐リングワイヤーはケーブルジャケットから最大で０.５インチだけアンツイスト処理され、そのペアのワイヤーは適正に配置される。Ｂｌペアは図３２に示すようにワイヤー受領溝５１２内のロードバー５０４内にレース処理され、ツイスト処理されたワイヤーがロードバーと接触するまで引張られる。残りのペアであるＯｒ、Ｂｒ及びＧｒは必要最小限度でアンツイスト処理され、クロスしないようにワイヤー受領溝５１０に配置される。各ペアのチップ‐リングコンダクターはワイヤー受領溝５１０内で隣接状態に保たれる。ワイヤーはできるだけロードバー５０４の端部に接近するようにカットされる。
【００４８】
Ｏｒ、Ｂｒ及びＧｒのペアはワイヤー受領溝５１０の第１面に配置される。別ペアＢｒを跨ぐスプリットペアＢｌはワイヤー受領溝５１２の第２面に配置される。スプリットペアＢｌは通常においてはニアエンドクロストーク(ＮＥＸＴ：near end crosstalk)に大きく貢献する。このペアをワイヤー受領溝５１２が定義する第２面に、ワイヤー受領溝５１０で定義された第１面から離して設置することで、スプリットペアで発生したクロストークは減少される。
【００４９】
図３１Ｃに示すケーブル端部においては、ロードバーは次のように利用される。まずケーブルジャケットが端部から約１.５インチ剥き取られる。次に、ＯｒとＢｌが図３１Ｃのように位置交換される。これには、ＯｒをＢｒとＢｌとの間でクロスさせる。これでＢｒとスプリットＢｌとの間の分離が提供される。これらワイヤーはロードバー５０４内に配置される。
【００５０】
ロードバー５０４はハウジング５０２に挿入される。ロードバー５０４とハウジング５０２との間には、ロードバー５０４をハウジング５０２に固定させるように多少の抵抗作用が存在する。凹部５０６はハウジング５０２内でショルダー５０８を受領する。ロードバー５０４が適正にハウジング内に設置されるとワイヤー受領溝５１０はスリット５１６と整合する。これら２つのスリット５２４と２つのワイヤー受領溝５１２も２つのスリット５１６と整合する。絶縁体剥取端部を備えたコンタクトはスリット５１６内に入れられ、締め付けられてワイヤー受領溝５１０と５１２内のワイヤーと係合する。ワイヤー受領溝５１２に配置されたスプリットペアのコンタクトブレードはワイヤー受領溝５１０のワイヤーのコンタクトブレードよりも長い。この通信プラグ５００はいくつかの利点を提供する。まず、各ペアのアンツイスト量が最低限であり、ロードバーによって制御される。各ペアの位置はロードバーで規制され、ロードバーはワイヤーの曲がりを防止する。なぜなら、ワイヤーはプラグ内で押し込まれる必要がないからである。従って、プラグは非常に小さくて安定した範囲の送信性能を有する。クロストーク補償回路がプラグ性能にチューニングされなければならない場合に特にこれは有利である。ワイヤーをロードバー内で終結させるとさらに単純な最終製品が完成する。
【００５１】
図３３から図３６は別例の９０°コンセント６００を示している。コンセント６００は前述のものと同様なコンタクトキャリヤーを備えたハウジングを含んでいる。コンタクト６０２と６０４はコンセント６００で交互に提供されている。
図３４は図３３の３４‐３４線に沿った断面図である。図３４は第１コンタクト６０４を詳細に図示している。第１コンタクト６０４は回路ボードと接続する端子６０６を有している。端子６０６からコンタクト６０４がコンタクトキャリヤーのベースに入り、約９０°曲げられてレッグ６０８を提供する。コンタクト６０４はさらに９０°曲げられてレッグ６１０を提供する。コンタクト６０４は９０°以上曲げられてレッグ６１２を定義する。レッグ６１２はコンタクトキャリヤーのベースの下部に対する第１高で後壁から斜めに外出する。コンタクト６０４の先端６１４はハウジング上に提供された後向リップ６１６の下側で、コンタクトキャリヤーの前端上方に提供される。コンタクト６０４の通路は部分的に第１部材６１８と第２部材６２０とで提供される。ギャップが第１部材と第２部材との間に提供され、レッグ６０８を受領する。
【００５２】
図３５は図３３の３５‐３５線に沿った断面図である。図３５はコンタクト６０２を詳細に図示している。コンタクト６０２は回路ボードと接続する端子６２２を有している。端子６２２からコンタクト６０２がコンタクトキャリヤーのベースに入り、約９０°曲げられてレッグ６２４を形成する。コンタクト６０２は約９０°曲げられてレッグ６２６を形成する。コンタクト６０２は約９０°曲げられてレッグ６２８を定義する。これはコンタクトキャリヤーの下部に対して第２高で、実質的に平行に後壁から外出する。コンタクト６０２は９０°以下で曲げられる。先端６３２はハウジング上に形成され、コンタクトキャリヤーの前端上方の後向リップ６１６の下側で終結する。コンタクト６０２の通路は部分的に第３部材６３４と第４部材６３６とで形成される。ギャップが第３部材６３４と第４部材６３６の間に提供されてレッグ６２４を受領する。
【００５３】
図３６はコンセント６００の底面図である。コンセント６００はコンタクト６０２と６０４が回路ボードと接続する領域のクロストークを、コンタクト６０２の列とコンタクト６０４の列とを標準（典型的には０.１００インチ）よりも離すことで減少させる。
【００５４】
異なる高さと角度とでコンタクトキャリヤーの後壁を外出するコンタクト６０２と６０４は本願発明の重要な特徴である。コンタクトキャリヤーでコンタクト６０２と６０４を交互に提供し、コンタクト６０２と６０４を異なる高さと角度とで後壁から外出させることで、コンタクト６０２と６０４の間の隣接領域が減少する。これでクロストークは減少され、リターンロスを改善してさらに良いバランスが得られる。
【００５５】
図３７から図４２は別例のコンセント７００を示している。コンセント７００は図１１から図１６で解説したものと同様なコンタクトキャリヤー２５４を含んでいる。コンセント７００は１から８と記されたポジションに８つのコンタクトを含んでいる。各コンタクトは図３８から図４２に示すように、性能を高めてクロストークを減少させる形状を備えている。コンタクト２７４は図１３から図１６のコンタクト２７４と同じである。コンタクト２７４はコンセント７００のポジション１、３、５、７に配置されている。スリット１のコンタクト２７４はベリリウム・銅合金製であり、燐・ブロンズコンタクトよりも弾性的である。プラグによってはポジション１と８にコンタクトを有せず、コンセント７００のコンタクト１と８に過剰な力を与える。ベリリウム・銅合金でスリット１と８のコンタクトを製造することでスリット１と８のコンタクトの変形が防止できる。さらに、スリット１と８のコンタクトはスリット３、５、７のコンタクトよりもベース２５６に接近してコンタクトキャリヤー２５４の後壁２５８から外出することができる。これでポジション１と８にコンタクトを有しないプラグがコンセント７００と接続されるとき、スリット１と８のコンタクトの変形量が減少する。
【００５６】
図３９は図３７の３９‐３９線に沿った断面図であり、コンタクト２７６を図示している。コンタクト２７６は図１３から図１６のコンタクト２７６と同じである。コンタクト２７６はコンセント７００のポジション４と６に配置されている。
【００５７】
図４０は図３７の４０‐４０線に沿った断面図であり、コンタクト７０２を図示している。コンタクト７０２はコンセント子７００のポジション２に位置している。コンタクト７０２は回路ボードへの搭載のためにコンタクトキャリヤーの後壁から延びる端子７０４を有している。コンタクト７０２は約９０°曲げられてレッグ２４６’を定義しており、さらに９０°以上曲げられてレッグ２４８を定義している。レッグ２４８は後壁から外出して、第１コンタクト２７４の出口高さとは異なるベース２５６の下部に対する第２高の開口部７０６内に延びており、後壁２５８に対して斜めに外出している。コンタクト７０２の通路は部分的に第３部材２７７と第５分際７０８とで形成されている。ギャップが第３部材２７７と第５部材７０８との間に提供され、レッグ２４６’を受領する。コンタクト７０２はコンタクト２７６に類似しており、コンタクト７０２は後壁２５８から外出して、コンタクト２７６と同じ高さと角度とで開口部７０６内に延び入る。コンタクト７０２と２７６との相違は、レッグ２４６’が図１５のレッグ２４６よりも長いことである。従って、端子７０４は端子２７６と２７４の端子２４４と２８０とは異なる高さで提供されている。図４２に示すように、このようなコンタクトのアレンジでコンセントの性能が向上する。
【００５８】
図４１は図３７の４１‐４１線に沿った断面図であり、コンタクト７３０を図示している。コンタクト７３０はコンセント７００のポジション８にある。コンタクト７３０は回路ボードへの搭載のためにコンタクトキャリヤーの後壁から延び出る端子７３４を有している。端子７３４からはコンタクト７３０が約９０°曲げられてレッグ２８２’を提供している。コンタクト７３０は約９０°曲げられてレッグ２８４を定義し、ベース２５６の下部に対して第１高で、後壁２５８に垂直に後壁２５８から外出している。コンタクト７３０は９０°以下で曲げられる。先端２８６は図１４で示すハウジングの後向リップ２８８の下で終結する。コンタクト７３０の通路は部分的に第１部材２９３と第６部材７３６とで提供される。ギャップが第１部材２９３と第６部材７３６との間に設けられ、レッグ２８２’を受領する。コンタクト７３０はコンタクト２７４と類似している。
【００５９】
コンタクト７３０は後壁２５８から外出して、コンタクト２７４と同じ高さと角度とで開口部７０６に延び入る。コンタクト７３０と２７４の相違はレッグ２８２’が図１４のレッグ２８２よりも短いことである。よって、端子７３４はコンタクト２７６と２７４の端子２４４と２８０の高さとは異なる高さで提供されている。先端７３４は先端７０４と同じ高さである。図４２において解説するように、このコンタクトアレンジはコンセントの性能を高めている。
【００６０】
スリット１のコンタクト２７４に関して説明したように、スリット８のコンタクト７３０はベリリウム・銅合金で提供され、ポジション１と８にコンタクトを有しないプラグに対処することができる。コンタクトレッグ２８４はスリット３、５、７のコンタクトよりもベース２５６に近いところでコンタクトキャリヤー２５４の後壁２５８から外出することができる。これでプラグがポジション１と８にコンタクトを有しないでコンセント７００に接続される場合にコンタクト７３０の変形が軽減される。
【００６１】
図４２はコンセント７００の背面図であるり、コンタクト２７４、２７６、７０２、７３０の端子のポジションを示している。図４２に示すように、ポジション１、３、５、７のコンタクト２７４の端子はコンセント７００の１縁部から第１距離ｄ１で列状に配置されている。コンタクト７０２と７３０の端子はコンセント７００のその縁部から第２距離ｄ２で列状となったポジション２と８に提供されている。ポジション４と６に提供されたコンタクト２７６の端子はコンセント７００のその縁部からｄ３の距離で列状に提供されている。コンセント７００のコンタクト２７４、２７６、７０２、７３０の位置はコンタクトペア間のクロストークを減少させることでコンセント７００の性能をアップさせている。
【００６２】
以上、いくつかの好適実施例を基に本願発明を解説してきたが、本願発明の精神とスコープ以内でそれらに改良を加えることは可能であろう。従って、本願発明のそれら実施例はあくまでも本願発明を説明するための例示であることは理解されるべきである。
【図面の簡単な説明】
【００６３】
【図１】図１は本願発明のプラグの分解斜視図である。
【図１Ａ】図１Ａはそのプラグのコンタクトを示す側面図である。
【図２】図２はそのプラグの下部ハウジングの斜視図である。
【図３】図３はそのプラグの分解斜視図である。
【図４】図４はそのプラグの斜視図である。
【図５】図５は本願発明のコンセントの分解斜視図である。
【図６】図６はそのコンセントの分解斜視図である。
【図７】図７はそのコンセントの正面図である。
【図８】図８は図７の８‐８線に沿った断面図である。
【図９】図９は図７の９‐９線に沿った断面図である。
【図１０】図１０はそのコンセントの底面図である。
【図１１】図１１は別例のコンセントの分解斜視図である。
【図１２】図１２はその別例のコンセントの分解斜視図である。
【図１３】図１３はその別例のコンセントの正面図である。
【図１４】図１４は図１３の１４‐１４線に沿った断面図である。
【図１５】図１５は図１３の１５‐１５線に沿った断面図である。
【図１６】図１６はその別例のコンセントの底面図である。
【図１７】図１７は本願発明の接続ブロックを図示している。
【図１８】図１８は本願発明の接続ブロックを図示している。
【図１９】図１９は本願発明の接続ブロックを図示している。
【図２０】図２０は本願発明の接続ブロックを図示している。
【図２１】図２１は本願発明の接続ブロックを図示している。
【図２２】図２２はその接続ブロックの分解斜視図である。
【図２３】図２３は本願発明のコネクターの斜視図である。
【図２４】図２４は本願発明のコネクターの斜視図である。
【図２５】図２５は別例のコネクターの斜視図である。
【図２６】図２６は別例のコネクターの斜視図である。
【図２７】図２７は別例のプラグの分解斜視図である。
【図２８】図２８は図２７のプラグのハウジングの斜視図である。
【図２９】図２９は図２７のプラグのロードバーの斜視図である。
【図３０】図３０は図２７のプラグの端面図である。
【図３１Ａ】図３１Ａはケーブルの側面図である。
【図３１Ｂ】図３１Ｂはそのケーブルの１端の端面図である。
【図３１Ｃ】図３１Ｃはそのケーブルの別端の端面図である。
【図３２】図３２は図２７のプラグのロードバーの斜視図である。
【図３３】図３３は別例のコンセントの正面図である。
【図３４】図３４は図３３の３４‐３４線に沿った断面図である。
【図３５】図３５は図３３の３５‐３５線に沿った断面図である。
【図３６】図３６はその別例のコンセントの底面図である。
【図３７】図３７はさらに別例のコンセントの正面図である。
【図３８】図３８は図３７の３８‐３８線に沿った断面図である。
【図３９】図３９は図３７の３９‐３９線に沿った断面図である。
【図４０】図４０は図３７の４０‐４０線に沿った断面図である。
【図４１】図４１は図３７の４１‐４１線に沿った断面図である。
【図４２】図４２は図３７のコンセントの底面図である。
【図１】
2007134350.tif 000003
【図１Ａ】
2007134350.tif 000004
【図２】
2007134350.tif 000005
【図３】
2007134350.tif 000006
【図４】
2007134350.tif 000007
【図５】
2007134350.tif 000008
【図６】
2007134350.tif 000009
【図７】
2007134350.tif 000010
【図８】
2007134350.tif 000011
【図９】
2007134350.tif 000012
【図１０】
2007134350.tif 000013
【図１１】
2007134350.tif 000014
【図１２】
2007134350.tif 000015
【図１３】
2007134350.tif 000016
【図１４】
2007134350.tif 000017
【図１５】
2007134350.tif 000018
【図１６】
2007134350.tif 000019
【図１７】
2007134350.tif 000020
【図１８】
2007134350.tif 000021
【図１９】
2007134350.tif 000022
【図２０】
2007134350.tif 000023
【図２１】
2007134350.tif 000024
【図２２】
2007134350.tif 000025
【図２３】
2007134350.tif 000026
【図２４】
2007134350.tif 000027
【図２５】
2007134350.tif 000028
【図２６】
2007134350.tif 000029
【図２７】
2007134350.tif 000030
【図２８】
2007134350.tif 000031
【図２９】
2007134350.tif 000032
【図３０】
2007134350.tif 000033
【図３１Ａ】
2007134350.tif 000034
【図３１Ｂ】
2007134350.tif 000035
【図３１Ｃ】
2007134350.tif 000036
【図３２】
2007134350.tif 000037
【図３３】
2007134350.tif 000038
【図３４】
2007134350.tif 000039
【図３５】
2007134350.tif 000040
【図３６】
2007134350.tif 000041
【図３７】
2007134350.tif 000042
【図３８】
2007134350.tif 000043
【図３９】
2007134350.tif 000044
【図４０】
2007134350.tif 000045
【図４１】
2007134350.tif 000046
【図４２】
2007134350.tif 000047
【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
通信用コンセントであって、
ハウジングと、
該ハウジングを越えて延び、該ハウジングの縁部から第１距離に提供された第１列にアレンジされている第１コンタクトと、
該ハウジングを越えて延び、該ハウジングの前記縁部から第２距離に提供された第２列にアレンジされている第２コンタクトと、
該ハウジングを越えて延び、該ハウジングの前記縁部から第３距離に提供されている第３コンタクトと、
を含んで成り、該第３距離は前記第１距離よりも長く、前記第２距離よりも短いことを特徴とするコンセント。
【請求項２】
第３コンタクトは複数の第３コンタクトを含んで成ることを特徴とする請求項１記載のコンセント。
【請求項３】
第１コンタクトは４体のコンタクトを含んで成り、 第２コンタクトは２体のコンタクトを含んで成り、 第３コンタクトは２体のコンタクトを含んで成る、ことを特徴とする請求項２記載のコンセント。
【請求項４】
第１コンタクトと、第２コンタクトと、第３コンタクトとは、第１コンタクト‐第３コンタクト‐第１コンタクト‐第２コンタクト‐第１コンタクト‐第２コンタクト‐第１コンタクト‐第３コンタクトの順序でアレンジされていることを特徴とする請求項３記載のコンセント。
【請求項５】
第３コンタクトは第１第３コンタクトと第２第３コンタクトとを含んで成り、該第１第３コンタクトは該第２第３コンタクトとは異なる形状を有していることを特徴とする請求項３記載のコンセント。